(57)【要約】【課題】天井埋込み型であり、マイナスイオン発生装置の取付けを容易として、マイナスイオンの供給を確実に得られる空気調和機の室内機を提供する。【解決手段】吸込み部１０ａと吹出し部１０ｂを設けた室内機本体１内部に熱交換器７、ドレンパン８、ファン６ｂとケーシング６ａを備えた送風機６を収容し、吸込み口９と吹出し口１０を備えた化粧パネル２を室内機本体の下面に取付けて室内に露出し、送風機の運転にともなって送風路Ｋを形成し、吹出し部はドレンパンの外側壁面８ａおよび送風機ケーシングの開口端部との組合せ体から構成し、化粧パネルの吹出し口はドレンパンの外側壁面に接続する略垂直状の壁面ａおよび送風機ケーシングの開口端部と接続する化粧パネル端縁方向に湾曲状に形成する壁面ｂからなり、送風機ケーシングに吹出し口を介して室内にマイナスイオンを供給するマイナスイオン発生装置２０の発生電極部２３を取付けた。【選択図】    図３
2004184004.tif 000002
【特許請求の範囲】
【請求項１】
下面に吸込み部と吹出し部とが離間して設けられ、被空調室の天井裏に取付けられる室内機本体と、
この室内機本体内部に収容され、上記吸込み部と対向して配置される熱交換器と、この熱交換器の下部に配置され熱交換器で生成されるドレン水を受けるドレンパンおよび、上記吹出し部と対向して配置されファンとこのファンを囲撓するケーシングを備えた送風機と、
上記吸込み部と上記吹出し部にそれぞれ連通する吸込み口と吹出し口を備え、上記室内機本体の下面に取付けられて室内に露出する化粧パネルと、
上記送風機の運転にともなって形成され、吸込み口から吸込んだ室内空気を吸込み部を介して熱交換器に導いて熱交換させ、送風機と吹出し部を介して吹出し口から室内へ吹出す送風路とを具備した空気調和機の室内機において、
上記吹出し部は、上記ドレンパンの外側壁面および上記送風機を構成するケーシングの開口端部との組合せ体から構成され、
上記化粧パネルの吹出し口は、上記ドレンパンの外側壁面と接続される略垂直状の壁面および上記送風機ケーシングの開口端部と接続され化粧パネル端縁方向に湾曲状に形成される壁面からなり、
上記吹出し部を構成する上記送風機ケーシングに取付けられ、上記吹出し口を介して室内にマイナスイオンを供給するマイナスイオン発生装置の発生電極部とを具備したことを特徴とする空気調和機の室内機。
【請求項２】
上記マイナスイオン発生装置は、上記発生電極部および、この発生電極部と電気的に接続される電源部から構成され、上記電源部は上記吹出し部近傍の上記送風路から外れた部位に配置されることを特徴とする請求項１記載の空気調和機の室内機。
【請求項３】
上記マイナスイオン発生装置における発生電極部と上記吹出し部を構成する送風機ケーシングとの間に、送風路に導かれる風の一部を分流案内する補助送風路が設けられることを特徴とする請求項１および請求項２のいずれかに記載の空気調和機の室内機。
【発明の詳細な説明】
【０００１】
【発明の属する技術分野】
本発明は、マイナスイオン発生装置を備えた、いわゆる天井埋込み型の空気調和機の室内機に関する。
【０００２】
【従来の技術】
空気調和機の室内機として店舗などの広い空間を空調する場合には、壁面に取付けられる、いわゆる壁掛け形よりも、天井面から極めて広い範囲に亘って均一に熱交換した空気を吹出すことができ、かつ居住者が受ける圧迫感の少ない天井埋込み型とした室内機が多用される傾向にある。
【０００３】
一方、壁掛け形とした室内機であるが、［特許公報１］に開示されるように、吹出し送風路中にマイナスイオン発生装置が組み込まれている。この種の装置を備えることにより、室内にマイナスイオンを直接、もしくは熱交換した空気とともに供給できる。
【０００４】
【特許公報１】
特開２００１−７４２６６（請求項１、図１〜図５参照）
室内がマイナスイオン雰囲気になることによって、人体はマイナスイオンを吸収する。マイナスイオンを吸収すると人体の細胞組織が活性化し、老廃物の排出を促進して新陳代謝が良好化し、健康増進に役立つことが知られている。
【０００５】
【発明が解決しようとする課題】
ところで、実際の機器では、室内に効率よくマイナスイオンを供給できるように、マイナスイオン発生装置を送風路の、特に、吹出し口に取付けている。壁掛け形の室内機においては、室内機本体に吹出し口が設けられているので、比較的、無理なくマイナスイオン発生装置を取付けられる。
【０００６】
これに対して上記天井埋込み型の室内機は、内部に熱交換器や送風機等を収容する室内機本体と、吸込み口および吹出し口が設けられる化粧パネルとから構成され、室内機本体下面に化粧パネルが取付けられる。
【０００７】
上記化粧パネルは、室内機本体と別体の部品として構成され、天井裏に設置される室内機本体の下面開口部を下面から覆うように接合させて取付けられる構成となっている。
【０００８】
そのため、高圧電源が必要なマイナスイオン発生装置を化粧パネルに取付けた場合、電源箱が設けられる室内機本体側と配線接続する必要が有る。メンテナンス作業で化粧パネルを着脱する際、この配線に対する着脱が必要となり、安全性および機能性の面で問題があった。
【０００９】
本発明は上記事情に着目してなされたものであり、その目的とするところは、天井埋込み型の室内機にマイナスイオン発生装置を安全でかつ機能的に取付けて、マイナスイオンの供給を確実に得られる空気調和機の室内機を提供しようとするものである。
【００１０】
【課題を解決するための手段】
上記課題を解決し目的を達成するために本発明の空気調和機の室内機は、下面に吸込み部と吹出し部を離間して設けた室内機本体を被空調室の天井裏に取付け、室内機本体内部に吸込み部と対向して配置する熱交換器、熱交換器の下部にドレンパンおよび吹出し部と対向して配置するファンとファンを囲撓するケーシングを備えた送風機を収容し、吸込み部と吹出し部にそれぞれ連通する吸込み口と吹出し口を備えた化粧パネルを室内機本体の下面に取付けて室内に露出し、送風機の運転にともなって吸込み口から吸込んだ室内空気を吸込み部を介して熱交換器に導いて熱交換させ送風機と吹出し部を介して吹出し口から室内へ吹出す送風路を形成し、
上記吹出し部はドレンパンの外側壁面および送風機を構成するケーシングの開口端部との組合せ体から構成し、上記化粧パネルの吹出し口はドレンパンの外側壁面に接続する略垂直状の壁面および送風機ケーシングの開口端部と接続する化粧パネル端縁方向に湾曲状に形成する壁面からなり、上記吹出し部を構成する送風機ケーシングに吹出し口を介して室内にマイナスイオンを供給するマイナスイオン発生装置の発生電極部を取付けた。
【００１１】
このような課題を解決する手段を採用することにより、天井埋込み型でありながら、マイナスイオン発生装置の取付けが容易で、マイナスイオンの供給を確実に得られる。
【００１２】
【発明の実施の形態】
以下、本発明の実施の形態を図面にもとづいて説明する。
図１は本発明の一実施の形態に係る天井埋込み型の空気調和機の室内機外観を下面側から示す斜視図、図２は室内機本体１を見上げた状態の斜視図、図３は室内機本体１の一部を拡大した断面図である。
【００１３】
空気調和機の室内機として、被空調室の天井板に設けられる開口部に挿入され、吊りボルト等を介して天井裏（いずれも図示しない）に吊持固定される室内機本体１を備えている。
【００１４】
上記室内機本体１の下面部に化粧パネル２が取付けられていて、これら室内機本体１と化粧パネル２とで室内機が構成される。上記化粧パネル２は室内に露出して取付用開口部と室内機本体１側面部との間隙を遮蔽している。
【００１５】
室内機本体１は、その長手方向が、長手方向と直交する方向である幅方向に対して長い矩形箱状に成型され、下面のみ開口し他の周面の全てが板面をなす筐体である。この筐体は金属薄板を板金加工し、内面にはたとえば発泡樹脂材などからなる断熱材が組み込まれ、室内機本体１として断熱構造をなしている。
【００１６】
室内機本体１の長手方向両側面部１ａにはそれぞれ一対ずつの吊り金具３が設けられ、天井裏から吊持される吊りボルト（図示しない）に取付けられる。室内機本体１の一方側（図の右側）の側面部１ａで、吊り金具３の近傍部位に２本の冷媒接続管４と１本のケーブル用パイプ５端部が突出している。
【００１７】
室内機本体１内の上記冷媒接続部４に室内熱交換器７に連通する冷媒管が接続される。また、これら配管接続部４には室外機から延出する冷媒渡り管が接続される。上記ケーブル用パイプ５には室内機と室外機および電源部と電気的に接続する渡りケーブルが挿通する。
【００１８】
室内機本体１の下面開口部１ｂは、幅方向の略中央部に、長手方向に亘って設けられる上記ドレンパン８によって仕切られ、この左右両側に上記ドレンガイド９と対向する吸込み部１０ａと送風機６のケーシング６ａの先端部が延出する吹出し部１０ｂが開口する。
【００１９】
上記送風機６は、ファンモータの回転軸に横流ファン６ｂが連結されていて、上記室内熱交換器７と対向する部位に、熱交換空気を吸込む開口を備え、その後流側に、横流ファン６ｂの外側周面を略囲撓するよう上記ケーシング６ａが筐体内側側面に沿うように延設して外側の吹出し用送風路を形成している。
【００２０】
また、吹出し部１０ｂ付近のケーシング６ａと対面する側は、上記ドレンパン８の外壁側面８ａがファンノーズと内側の吹出し用送風路を形成している。上記横流ファン６ｂが取込んだ室内空気は、この吹出し用送風路を通り吹出し部１０ｂから吹出し案内される。
【００２１】
上記化粧パネル２には、上記吸込み部１０ａと対向して吸込み口１１が開口され、吸込グリル１２が着脱自在に嵌め込まれている。上記吸込みグリル１２は吸込み口１１における室内空気の流通を可能としながら、吸込み口１１から室内機本体１内部に対する遮蔽をなしている。
【００２２】
さらに化粧パネル２には、上記吹出し部１０ｂと対向して吹出し口１３が開口される。上記吹出し口１３の上部開口端は吸込み部１０ｂと同一形状寸法であり、上部開口端から下部開口端に亘るドレンパン外側壁面８ａ側が略垂直状の壁面ａ、化粧パネル端縁２ａ側が端縁方向に湾曲状に形成される壁面ｂからなる。
【００２３】
このような吹出し口１３が吹出し部１０ｂである送風機ケーシング６ａの開口端部と断熱材１５を介して連通される。吹出し口１３の壁面ｂが端縁方向に湾曲状に曲成されるので、吹出し口１３から吹出される熱交換した空気の一部を化粧パネル２の外方へ向かって吹出し案内できる。
【００２４】
上記吹出し口１３にはルーバー駆動機構に連結されたルーバー１４が取付けられる。上記ルーバー１４に対する姿勢制御によって、室内のさらに広い範囲に亘って均一に熱交換した空気を吹出し案内できる。
【００２５】
そして、上記室内機本体１側に形成される吹出し部１０ｂに、後述するマイナスイオン発生装置２０を構成する発生電極部２３が取付けられている。
このように構成された天井埋込み型の空気調和機の室内機において、送風機６が駆動されると室内空気が吸込みグリル１２と吸込み口１１および吸込み部１０ａを介して室内機本体１内に吸引される。
【００２６】
熱交換空気はドレンガイド９を通過して室内熱交換器７に導かれ、熱交換がなされたあと送風機６に吸込まれる。さらに、吹出し部１０ｂを介して吹出口１３からルーバー１４に案内され、室内へ吹出される。
【００２７】
特に、吹出し口１３の壁面ｂを端縁方向に湾曲状に曲成したので、吹出し口１３から吹出される熱交換した空気の一部を化粧パネル２の外方へ向かって吹出し案内できる。
【００２８】
上記吹出し口１３にルーバー１４が取付けられ、このルーバー１４に対する姿勢制御によって、室内のさらに広い範囲に亘って均一に熱交換した空気を吹出し案内でき、効率のよい空調作用が得られる。
【００２９】
上記送風機６が駆動することによって、室内空気が吸込み口１１−吸込み部１０ａ−室内熱交換器７−送風機６−吹出し部１０ｂ−吹出口１３の順に導かれる送風路Ｋが形成される。
【００３０】
一方、室内機本体１の吹出し部１０ｂに取付けられるマイナスイオン発生装置２０の発生電極部２３においてマイナスイオンを発生し、吹出し口１３を介して室内に直接、もしくは吹出し部１０ｂを導通する熱交換した空気とともに室内に供給する。
【００３１】
室内がマイナスイオン雰囲気になることによって人体はマイナスイオンを効率よく吸収する。その結果、人体の細胞組織が活性化して老廃物の排出を促進し、新陳代謝が良好化して健康増進に役立つ。
【００３２】
つぎに、上記マイナスイオン発生装置２０の構成と、マイナスイオン発生装置２０の室内機本体１に対する取付け構造について詳述する。
先に説明した図３にマイナスイオン発生装置２０断面を概略的に示している。図４は化粧パネル２を取付けた状態での吹出し部１０ｂとマイナスイオン発生装置２０を見上げた斜視図、図５は化粧パネル２を取外した状態でのマイナスイオン発生装置２０の斜視図、図６は発生電極部２３の斜視図である。
【００３３】
上記マイナスイオン発生装置２０は、上述したように室内機本体１の吹出し部１０ｂ側に取付けられていて、化粧パネル２の吹出し口１３には何ら取付けられない。メンテナンス作業等で化粧パネル２を取外すことがあっても、マイナスイオン発生装置２０の全ては室内機本体１側に残る。
【００３４】
上記マイナスイオン発生装置２０は、高電圧回路を備え室内機本体１の本体電源部に電気的に接続される電源部２１と、この電源部２１と高電圧リード線２２を介して接続されマイナスイオンを発生する上記発生電極部２３とから構成される。
【００３５】
上記電源部２１は、送風機ケーシング６ａの開口端外部で発生電極部２３と極く近接した位置に配置される。すなわち、電源部２１は吹出し部１０ｂ近傍の送風路Ｋとは外れた部位に配置されていて、冷房運転時にたとえ吹出し部１０ｂに結露が生じるようなことがあっても、電源部２１が結露で濡れる虞れがない。
【００３６】
電源部２１と発生電極部２３とを極く近接する位置に配置したので、これらを電気的に接続する高電圧リード線２２のリード長が極く短くてすみ、ノイズの発生を抑え、かつ信頼性の向上を得られる。
【００３７】
上記発生電極部２３は、上記電源部２１から高電圧が印加される電極板および、この電極板の作用により先端からマイナスイオンを放射する針状電極とで構成されるマイナスイオン発生電極２５と、この発生電極２５を支持する電極カバー２６とから構成される。
【００３８】
上記電極カバー２６は、後述するように一部が吹出し部１０ｂ端面に取付けられる部位と、吹出し部１０ｂの送風路Ｋ中に突出しマイナスイオン発生電極２５を支持する部位とを一体に備えている。
【００３９】
吹出し部１０ｂの端面一部には、二段状の凹部から形成され、二段目の凹部にめねじ部２７が設けられたカバー取付け部２８が成型される。上記電極カバー２６の一部は、このカバー取付け部２８に嵌め込まれる断面形状をなし、その二段目には取付け用孔２９が穿設される。
【００４０】
上記取付け用孔２９に取付けねじ３０が挿通され、カバー取付け部２８のめねじ部２７に螺挿される。したがって、電極カバー２６は取付けねじ３０によって吹出し部１０ｂ端面に螺着されている。
【００４１】
電極カバー２６の一部とカバー取付け部２８とは面接触することとなり、隙間の発生する余地がない。しかも、電極カバー２６の取付け部位は送風路Ｋから外れた位置にあるので、冷房運転時においても結露が生じることはない。
【００４２】
当然、電極カバー２６を取付ける上記取付けねじ３０の頭部も、吹出し部１０ｂ端面から一段引っ込んだ位置にあるとともに、送風路Ｋから外れた位置にあるので、冷房運転時においても結露することはない。
【００４３】
上記電極カバー２６は上述したように吹出し部１０ｂ端面に取付けられる部位と、吹出し部１０ｂの送風路Ｋ中に突出しマイナスイオン発生電極２５を支持する部位とを一体に備えている。
【００４４】
実際には、上記吹出し部１０ｂ端面に取付けられる電極カバー２６部位は、ある程度吹出し部１０ｂに対向するように延出されていて、マイナスイオン発生電極２５を支持する部分の下端面と送風機ケーシング６ａ面とは若干の隙間が存在する。
【００４５】
電極カバー２６の送風路Ｋ延出部には幅方向に沿って複数の小孔３１が所定間隔を存して設けられている。これら小孔３１は、電極カバー２６の発生電極支持部端面と送風機ケーシング６ａ面との隙間と対向していて、これらで補助送風路Ｋａが形成される。
【００４６】
上記補助送風路Ｋａには、送風路Ｋに導かれる熱交換した空気の一部が流通するので、冷房運転時においても結露することはない。結露の発生する条件を抑制でき、安全性の確保を図れ、信頼性の向上を得られる。
【００４７】
発生電極部２３は吹出し部１０ｂと吹出し口１３に位置しているが、吹出し部を構成するドレンパン８の外側壁面８ａとは離間する送風機ケーシング６ａ側に取付けられているので、冷房運転時にドレン水を集溜することでドレンパン８の外側壁面８ａが結露するようなことがあっても露付きの虞れがない。
【００４８】
すなわち、マイナスイオン発生装置２０においては電源部２１から発生電極部２３に高電圧をかけてマイナスイオンの発生作用を行わせるが、冷房運転時においてマイナスイオン発生装置２０に対する結露付着の条件を確実に抑制することにより、安全性の確保を図れ、信頼性の向上を得られる。
【００４９】
また、吹出し口１３の発生電極部２３との隙間対向部分には幅方向に沿い所定間隔を存して複数の突起３２が一体に設けられる。これら突起３２は吹出し口１３から挿入された異物がたとえ発生電極部２３との隙間に到達しても、それ以上の侵入を阻止し安全性を確保している。
【００５０】
さらに、上記複数の突起３２の両側部で、発生電極部２３両側面と略密着する位置にも遮蔽突起３３が設けられている。これら遮蔽突起３３は上記発生電極部２３との隙間に対する斜め方向からの異物の挿入を阻止する。
【００５１】
上記マイナスイオン発生電極２５の少なくとも一部は吹出し部１０ｂ端面から突出して上記吹出し口１３に位置するように支持される。したがって、マイナスイオン発生電極２５は実質的に吹出し口１３からマイナスイオンを発生することとなり、室内に対して効率よくマイナスイオンを供給できる。
【００５２】
しかも、上述したように吹出し口１３を形成する壁面ｂが化粧パネル２の端縁２ａ側に湾曲成する断面形状をなし、かつ吹出し口にルーバー１４を備えたところから、熱交換した空気に混在するマイナスイオンが室内の広範囲に亘って、効率よく供給される。
【００５３】
マイナスイオン発生電極２５端面と吹出し口１３面とは所定の間隔を存しているので、化粧パネル２を取外してたとえばメンテナンス作業をしたあと、再び化粧パネル２を取付ける際に吹出し口１３の側面がマイナスイオン発生電極２５に接触することがなく、作業性の向上を得られる。
【００５４】
マイナスイオン発生電極２５を構成する針状電極は、所定間隔を存して設けられる複数枚のガード板の相互間に位置しており、これら針状電極の吹出し口端面側にはガード用突起が設けられて、吹出し口１３から挿入される異物が針状電極に接触できないようにして安全性を確保している。
【００５５】
送風路Ｋを導かれる熱交換した空気は、マイナスイオン発生電極２５のガイド板相互間に形成されるスリットを通過し、針状電極に接触したうえで吹出し口１３から吹出される。したがって、針状電極から放射されるマイナスイオンは熱交換した空気に効率よく混在して室内に導かれる。
【００５６】
取付けねじ３０頭部の突出方向と、マイナスイオン発生電極２５の突出方向が同一であるが、電極カバー２６は吹出し部１０ｂ端面の凹部（カバー取付け部２８）に取付けられるので、取付けねじ３０頭部の突出量がほとんどなく、したがってアーク放電が発生しない距離を確保でき安全性が得られる。
【００５７】
なお、本発明は上述の実施の形態に限定されるものではなく、本発明の要旨を逸脱しない範囲で種々変形実施可能であるのは勿論である。
【００５８】
【発明の効果】
以上説明したように本発明によれば、天井埋込み型であることを前提として、マイナスイオン発生装置の取付けを容易として、マイナスイオンの供給を確実に得られるなどの効果を奏する。
【図面の簡単な説明】
【図１】本発明の一実施の形態に係る、天井埋込み型の空気調和機の室内機外観を下面側から示す斜視図。
【図２】同実施の形態に係る、室内機本体を見上げた状態の斜視図。
【図３】同実施の形態に係る、室内機本体の一部を拡大した断面図。
【図４】同実施の形態に係る、化粧パネルを取付けた状態での吹出し部とマイナスイオン発生装置の斜視図。
【図５】同実施の形態に係る、化粧パネルを取外した状態でのマイナスイオン発生装置の斜視図。
【図６】同実施の形態に係る、発生電極部の斜視図。
【符号の説明】
１０ａ…吸込み部、
１０ｂ…吹出し部、
Ｋ…送風路、
７…室内熱交換器、
８…ドレンパン、
６…送風機、
６ａ…ケーシング、
１…室内機本体、
１１…吸込み口、
１３…吹出し口、
２…化粧パネル、
２０…マイナスイオン発生装置、
２１…電源部、
２３…発生電極部、
Ｋａ…補助送風路。
【図１】
2004184004.tif 000003
【図２】
2004184004.tif 000004
【図３】
2004184004.tif 000005
【図４】
2004184004.tif 000006
【図５】
2004184004.tif 000007
【図６】
2004184004.tif 000008